(57)【特許請求の範囲】
【請求項１】
基板と、前記基板の上面に設けられ複数の抵抗部からなる抵抗体と、前記抵抗体の両端部に互いに対向する位置に設けられ前記抵抗体と電気的に接続された電極とを有し、前記電極と隣り合う前記抵抗部は矩形状で、前記矩形状の抵抗部内に設けられた第１のトリミング跡を備え、前記電極は前記矩形状の抵抗部の隣り合う２辺に接続するようにＬ字状に設けられ、かつ前記第１のトリミング跡の一端は前記Ｌ字状の電極に囲まれた前記矩形状の抵抗体内に、他端は前記基板の側部における前記抵抗体の外側に設けられ、前記抵抗部内に設けられた前記第１のトリミング跡の一端を始点にして、前記第１のトリミング跡と直交し、前記抵抗体の両端部に設けられた電極方向に伸びる第２のトリミング跡を有し、前記Ｌ字状の電極の抵抗部との接続部における前記抵抗体の２辺が交わる角部に丸みを設けた抵抗器。
【発明の詳細な説明】
【０００１】
【発明の属する技術分野】
本発明は、各種電子機器に使用される抵抗器に関するものである。
【０００２】
【従来の技術】
従来、この種の抵抗器として、特開平９−２０５００４号公報に記載されたものが知られている。
【０００３】
図１１は従来の抵抗器を示す上面図である。
【０００４】
図１１において、１は基板である。２は基板１の上面両端に設けられた１対の矩形状の電極である。３は電極２間を電気的に接続するように設けられた矩形状の抵抗体である。４は抵抗体３がつづら折り形状の導電経路を持つように設けられた絶縁部であり、その一端４ａ〜４ｃは抵抗体３内に、他端は基板１の長手部の側部における抵抗体３の外側に備えられている。また、絶縁部４の他端は、互いに対向する側部に対して交互に配置している。絶縁部４の形状は、縦方向に長い長方形である。
【０００５】
図１２は、従来の抵抗器に電流を流した時の電流の流れを示す図である。図１２中の矢印は電流の方向を示し、線の間隔が密になっている所ほど、たくさんの電流が流れている。つまり電流が集中していることを示す。また、以下に説明する各抵抗器に電流を流した時の電流の流れを示す図についても、同様に線の間隔が密になっている所ほど、たくさんの電流が流れていることを示している。
【０００６】
【発明が解決しようとする課題】
しかしながら上記した従来の抵抗器は、電流経路の方向転換点となる絶縁部４の一端４ａ〜４ｃの大きさが小さいので、絶縁部４の一端４ａ〜４ｃを中心に小回りする電流経路と、絶縁部４の一端４ａ〜４ｃから離れたところで大回りする電流経路の長さの差が大きく、即ち、抵抗値の差が大きいため、大回りするような電流経路を流れる電流が小回りしようとし、これにより、図１２に示したように、最短経路となる絶縁部４の一端４ａ〜４ｃに流れる電流が非常に多くなり、この結果、サージなどの高電力が抵抗体３に印加されると絶縁部４の一端４ａ〜４ｃ付近が非常に高温となり、これにより、抵抗体３の絶縁部４の一端４ａ〜４ｃに亀裂などが発生し、最終的には断線に至るという課題を有していた。
【０００７】
本発明は上記従来の課題を解決するもので、耐サージ特性の優れた抵抗器を提供することを目的とする。
【０００８】
【課題を解決するための手段】
上記目的を達成するため、本発明は、基板と、前記基板の上面に設けられ複数の抵抗部からなる抵抗体と、前記抵抗体の両端部に互いに対向する位置に設けられ前記抵抗体と電気的に接続された電極とを有し、前記電極と隣り合う前記抵抗部は矩形状で、前記矩形状の抵抗部内に設けられた第１のトリミング跡を備え、前記電極は前記矩形状の抵抗部の隣り合う２辺に接続するようにＬ字状に設けられ、かつ前記第１のトリミング跡の一端は前記Ｌ字状の電極に囲まれた前記矩形状の抵抗体内に、他端は前記基板の側部における前記抵抗体の外側に設けられ、前記抵抗部内に設けられた前記第１のトリミング跡の一端を始点にして、前記第１のトリミング跡と直交し、前記抵抗体の両端部に設けられた電極方向に伸びる第２のトリミング跡を有し、前記Ｌ字状の電極の抵抗部との接続部における前記抵抗体の２辺が交わる角部に丸みを設けたものである。
【０００９】
かかる構成により、第１のトリミング跡の一端付近の抵抗体を流れた電流が、基板の両端部に設けられた電極だけでなく、基板の側面に設けられた電極にも流れるため、第１のトリミング跡の一端付近の抵抗体を流れる電流が一点に集中しなくなり、第１のトリミング跡の一端付近の抵抗体が高温になることを防止できる。
【００１０】
そして、第２のトリミング跡によって第１のトリミング跡の一端付近の抵抗体を回り込む電流を減らすことができるため、第１のトリミング跡の一端付近の抵抗体を流れる電流が一点に集中しなくなり、第１のトリミング跡の一端付近の抵抗体が高温になることを防止できる。
【００１１】
さらに、第１のトリミング跡の一端と丸みが設けられた各電極部との距離がそれぞれ同じにできるため、最短距離を流れようとする電流を均等に電極に流すことができ、第１のトリミング跡の一端付近の抵抗体を流れる電流が一点に集中しなくなるため、第１のトリミング跡の一端付近の抵抗体が高温になることを防止できる。
【００１２】
【発明の実施の形態】
（参考例１）
図１は参考例１における抵抗器の上面図である。
【００１３】
図１において、符号１１で示すのは基板であり、この基板１１の上面には符号１２で示す抵抗体が印刷されている。この抵抗体１２の両端部には、互いに対向する位置に設けられ、かつ、抵抗体１２と電気的に接続された電極１３が設けられている。符号１４で示されるのは絶縁部で、本実施の形態においては、この絶縁部１４は基板１１上の抵抗体１２、及び、電極１３の印刷されていない部分で構成される。その一端１５は抵抗体１２内に、他端は抵抗器１０の長手側の側部１１ａに備えられ、一端は絶縁部１４の他の部分の幅より広くなっている。
【００１４】
基板１１は、アルミナなどの絶縁材料からなり、矩形状かつ板状になっている。
【００１５】
抵抗体１２は、基板１１の上面に設けられ、導電性のよい材料、例えば、酸化ルテニウム系の厚膜材料からなる。
【００１６】
電極１３は、銀等の導電材料からなり、基板１１または抵抗体１２の上面に、抵抗体１２の両端部に互いに対向する位置に抵抗体１２と電気的に接続するように設けられる。なお、抵抗体１２、電極１３の劣化を防止するために、抵抗体１２、電極１３の各上面に保護層を設けてもよい。
【００１７】
絶縁部１４は、主に抵抗体１２の抵抗値調整のために設けられ、その一端１５が抵抗体１２内に、他端は基板１１の長手側の側部１１ａにおける抵抗体１２の外側に、それぞれ備えられ、さらに、その絶縁部１４の一端１５の幅は絶縁部１４の他の部分の幅より広くなっている。なお、絶縁部１４の一端１５は、絶縁部１４の他の部分のうち少なくとも一端１５近傍の絶縁部１４より幅が広ければよい。また、図では絶縁部１４の一端１５の形状は略円形になっているが、他の、例えば、三角形、四角形等の多角形形状でも構わない。
【００１８】
さらに、絶縁部１４、およびその一端１５は、通常の負荷で抵抗体１２が高温となって断線したり、サージによって発熱し、抵抗体１２が高温となって断線したりすることがないように、絶縁部１４、その一端１５によって抵抗体１２の幅が狭くならないような位置に設ける。なお、この位置は負荷やサージの条件によって異なる。
【００１９】
上記した参考例１における抵抗器の抵抗体１２の製造方法としては、基板１１の上面に抵抗素体を印刷などで形成した後、絶縁部１４およびその一端１５を、上面からレーザを照射して抵抗体１２を削る、あるいは、マスク印刷するなどの方法がある。
【００２０】
このように、参考例１における抵抗器は、一端１５を抵抗体１２内に他端を基板１１の長手側の側部１１ａにおける抵抗体１２の外側にそれぞれ備えられた絶縁部１４を備え、この絶縁部１４の一端１５の幅を、絶縁部１４の他の部分の幅より広くしたため、絶縁部１４の一端１５を中心に小回りする電流経路と、絶縁部１４の一端１５から離れたところで大回りする電流経路の長さの差が小さく、即ち、抵抗値の差が小さくなり、これにより、大回りするような電流経路を流れる電流が小回りすることが少なくなり、最短経路となる絶縁部１４の一端１５の一点に集中することはなくなる。この結果、絶縁部１４の一端１５付近の抵抗体１２が高温になることを防止でき、耐サージ特性の優れた抵抗器が得られるという効果を奏する。
【００２１】
図２は本参考例１における抵抗器の電流の流れを示す図である。
【００２２】
図２から明らかなように、絶縁部１４の一端１５の一点に電流が集中することはなくなっている。
【００２３】
なお、図１においては電極１３と抵抗体１２の接続位置は抵抗器１０の短手側の端面１１ｂに平行になるように位置しているが、図３に示すように電極１３を基板１１の短手側の端面１１ｂからＬ字状に長手側の側面１１ａに沿うように位置させる、すなわち、抵抗体１２を、絶縁部１４を挟んで蛇行させ、絶縁部１４を挟んで凹字状に設けても良い。
【００２４】
このように、抵抗体１２を凹字状に構成することにより電流経路を長くとれ、サージに強い抵抗器を得ることができる。
【００２５】
（参考例２）
図４は参考例２における抵抗器の上面図である。
【００２６】
なお、参考例１で説明したものと同一のものは同一符号を付し、その説明は省略する。図４において、参考例１と相違する点は、抵抗体１２が矩形状の抵抗部１６からなり、抵抗体１２がつづら折り状になるように、隣り合う抵抗部１６間にそれぞれ絶縁部１４が設けられている点、および電極１３を基板１１の短手側の端面１１ｂからＬ字状に長手側の側面１１ａに沿うように位置させている点である。
【００２７】
このとき、絶縁部１４が複数ある場合、隣り合う絶縁部１４の一端１５は、基板１１の長手側の側部１１ａの互いに対向する位置に設けられている。
【００２８】
このように、参考例２における抵抗器は、上記参考例１と同様に、最短経路となる絶縁部１４の一端１５付近の一点に電流が集中することはなくなり、この結果、絶縁部１４の一端１５付近の抵抗体１２が高温になることを防止できる。さらに、抵抗体１２がつづら折り状になっているため、電流経路を長くできるため、サージに強い抵抗器が得られるという効果を奏する。
【００２９】
図５は本参考例２における抵抗器の電流の流れを示す図である。
【００３０】
図５から明らかなように、絶縁部１４の一端１５の一点に電流が集中することはなくなっている。
【００３１】
なお、図６のように電極１３を基板１１の短手側の端面１１ｂに沿うように設けてもよい。
【００３２】
（一実施の形態）
図７は本発明の一実施の形態における抵抗器の上面図である。
【００３３】
なお、参考例２で説明したものと同一のものは同一符号を付し、その説明は省略する。図７において、本実施の形態と参考例２と相違する点は、電極１３のうち少なくとも１つ（以下第１の電極１３ａとする）を、この第１の電極１３ａと隣り合う矩形状の抵抗部（図７においては右下斜線で示し、以下第１の抵抗部１６ａとする）の隣り合う２辺１７，１８に接続するようにＬ字状に設けている。すなわち、電極１３の形状は基板１１の短手側の端部１１ｂから長手側の側部１１ａへ連続するように備えられている。
【００３４】
さらに、第１の抵抗部１６ａは、第１の電極１３ａと接する部分の一部をカーブさせ丸み２１が設けられており、さらに、第１の抵抗部１６ａに抵抗値調整のための第１のトリミング跡１９、第２のトリミング跡２０を備えた点が参考例２と異なる。
【００３５】
第１のトリミング跡１９は、その一端１９ａがＬ字状の第１の電極１３ａに囲まれた第１の抵抗部１６ａ内に、他端は基板１１の長手側の側部１１ａにおける第１の抵抗部１６ａの外側に設けられ、基板１１の短手側の端部１１ｂに備えられている第１の電極１３ａとほぼ平行になっている。また、第１のトリミング跡１９と絶縁部１４とは、それぞれ他端から一端１９ａ，１５に向かう方向が逆になるような位置に設けられている。
【００３６】
第２のトリミング跡２０は、第１のトリミング跡１９の一端１９ａを始点にして、第１のトリミング跡１９と直交し、第１の電極１３ａへ向かう方向に第１の電極１３ａ内まで伸びるように設けられている。なお、必要に応じては第２のトリミング跡２０は第１の電極１３ａまで伸ばさなくてもよい。
【００３７】
なお、トリミング跡１９，２０は、抵抗値を微調整するために設けられ、レーザによって形成することが好ましい。
【００３８】
このように本発明の一実施の形態における抵抗器は、第１の電極１３ａを第１の抵抗部１６ａの隣り合う２辺に接続するようにＬ字状に設けたため、第１のトリミング跡１９の一端１９ａ付近の第１の抵抗部１６ａを流れた電流が、基板１１の短手側の端部に設けられた第１の電極１３ａだけでなく、基板１１の長手側の側部１１ａに設けられた第１の電極１３ａにも流れるため、第１のトリミング跡１９の一端１９ａ付近の第１の抵抗部１６ａを流れる電流が一点に集中しなくなる。この結果、第１のトリミング跡１９の一端１９ａ付近の抵抗体１２が高温になることを防止でき、サージに強い抵抗器が得られるという効果を奏する。
【００３９】
すなわち、第１のトリミング跡１９の一端１９ａと絶縁部１４の一端１５は、基板１１の長手側の側部１１ａの互いに対向する位置に設けられているため、電流が最短距離を通り、第１のトリミング跡１９の一端１９ａ付近の第１の抵抗部１６ａに電流が集中しようとするが、本実施の形態によれば、上記説明のように、トリミング跡１９の一端１９ａ付近の第１の抵抗部１６ａを流れる電流が一点に集中しなくなる。
【００４０】
さらに、抵抗体１２がつづら折り状になるように、隣り合う抵抗部１６間にそれぞれ絶縁部１４が設けられ、その一端は抵抗体１２内に、他端は基板１１の長手側の側部１１ａにおける抵抗部１６の外側に、それぞれ備えられ、かつ絶縁部１４の一端１５の幅が、絶縁部１４の他の部分の幅より広くしている。
【００４１】
これにより、上記参考例２で説明したように最短経路となる絶縁部１４の一端１５の一点に電流が集中することはなくなり、この結果、絶縁部１４の一端１５付近の抵抗体１２が高温になることを防止できる。
【００４２】
図８は、本実施の形態における抵抗器の電流の流れを示す図である。
【００４３】
図８から明らかなように、第１のトリミング跡１９の一端１９ａ付近、さらに、絶縁部１４の一端１５付近の一点に電流が集中することは無くなっている。
【００４４】
また、第２のトリミング跡２０を設けることによって、第１のトリミング跡１９の一端１９ａの第１の抵抗部１６ａを回り込む電流を減らすことができるため、第１のトリミング跡１９の一端１９ａ付近の第１の抵抗部１６ａを流れる電流が一点に集中しなくなり、これにより、第１のトリミング跡１９の一端１９ａ付近の第１の抵抗部１６ａが高温になることを防止できる。
【００４５】
図９は、本実施の形態における抵抗器に対する比較例１の電流の流れを示す図であり、第２のトリミング跡２０を設けていない場合の電流の流れを示す図である。
【００４６】
図９から明らかなように、図６と比較して第１のトリミング跡１９の一端１９ａ付近の一点に電流が集中している。
【００４７】
さらに、第１の抵抗部１６ａに丸み２１を設けたため、第１のトリミング跡１９の一端１９ａと丸み２１が設けられた第１の電極１３ａの各部との距離をそれぞれ同じにすることができ、これにより、最短距離を流れようとする電流を均等に第１の電極１３ａに流すことができるため、第１のトリミング跡１９の一端１９ａ付近の第１の抵抗部１６ａを流れる電流が一点に集中しなくなり、第１のトリミング跡１９の一端１９ａ付近の抵抗部１６が高温になることを防止できる。
【００４８】
図１０は、本実施の形態における抵抗器に対する比較例２の電流の流れを示す図であり、丸み２１を設けない場合の電流の流れを示す図である。
【００４９】
図１０から明らかなように、電流は第１の電極１３ａのうち基板１１の短手側の端部１１ｂの方へ流れるものが多くなり、第１のトリミング跡１９の一端１９ａ付近の第１の抵抗部１６ａを流れる電流が一点に集中してしまう。
【００５０】
なお、本実施の形態において、第１のトリミング跡１９が設けられた第１の抵抗部１６ａにおける絶縁部１４と第１のトリミング跡１９との幅２２（図７参照）が、他の抵抗部１６の幅と同じかまたは広くすれば、第１の抵抗部１６ａが他の抵抗部１６より幅が狭くなることがないため、第１の抵抗部１６ａでの電流集中を抑えることができ、これにより、第１の抵抗部１６ａが高温になることを防止できる。
【００５１】
また、上記した参考例１、２および本発明の一実施の形態における抵抗器において、絶縁部１４の一端１５の形状を略円形とすれば、絶縁部１４の一端１５が角ばった部分がないため、絶縁部１４の一端１５付近を中心に円形の整った経路を電流が流れ、これにより、円形以外の絶縁部１４の一端１５付近の形状を用いる場合に生じる電流経路の乱れによる電流集中部の発生を防止でき、抵抗体１２を流れる電流が一点に集中しなくなるため、絶縁部１４の一端１５付近の抵抗体１２が高温になることを防止できる。
【００５２】
【発明の効果】
以上のように本発明の請求項１記載の発明は、第１のトリミング跡の一端付近の抵抗体を流れた電流が、基板の両端部に設けられた電極だけでなく、基板の側面に設けられた電極にも流れるため、第１のトリミング跡の一端付近の抵抗体を流れる電流が一点に集中しなくなり、また、第２のトリミング跡によって第１のトリミング跡の一端付近の抵抗体を回り込む電流を減らすことができるため、第１のトリミング跡の一端付近の抵抗体を流れる電流が一点に集中しなくなり、さらに、第１のトリミング跡の一端と丸みが設けられた各電極部との距離がそれぞれ同じにできるため、最短距離を流れようとする電流を均等に電極に流すことができるので、第１のトリミング跡の一端付近の抵抗体を流れる電流が一点に集中しなくなるため、第１のトリミング跡の一端付近の抵抗体が高温になることを防止でき、この結果、耐サージ特性の優れた抵抗器を提供できるという効果を奏するものである。
【図面の簡単な説明】
【図１】  参考例１における抵抗器の上面図
【図２】  同電流の流れを示す図
【図３】  同他の例を示す上面図
【図４】  参考例２における抵抗器の上面図
【図５】  同電流の流れを示す図
【図６】  同他の例を示す上面図
【図７】  本発明の一実施の形態における抵抗器の上面図
【図８】  同電流の流れを示す図
【図９】  比較例１の電流の流れを示す図
【図１０】  比較例２の電流の流れを示す図
【図１１】  従来の抵抗器を示す上面図
【図１２】  同電流の流れを示す図
【符号の説明】
１０  抵抗器
１１  基板
１２  抵抗体
１３  電極
１４  絶縁部
１５  絶縁部の一端
１６  抵抗部
１９  第１のトリミング跡
１９ａ  第１のトリミング跡の一端
２０  第２のトリミング跡
２１  丸み
【図１】
0004674403.tif 000002
【図２】
0004674403.tif 000003
【図３】
0004674403.tif 000004
【図４】
0004674403.tif 000005
【図５】
0004674403.tif 000006
【図６】
0004674403.tif 000007
【図７】
0004674403.tif 000008
【図８】
0004674403.tif 000009
【図９】
0004674403.tif 000010
【図１０】
0004674403.tif 000011
【図１１】
0004674403.tif 000012
【図１２】
0004674403.tif 000013